(57)【要約】【課題】  同一の測定器を常時携帯する必要がない健康管理システムを提供する。【解決手段】  携帯電話機３及びユーザ端末２には、生体センサ２９，３５が組み込まれている。そのＣＰＵ２０，３０は、サーバ装置４に対して、生体センサ２９，３５による測定値をサーバ装置４へ送信したり、測定値の履歴を問い合わせる。サーバ装置４は、各ユーザのユーザＩＤ毎に、そのユーザの測定値の履歴を健康管理データベース５１に蓄積しており、携帯電話機３及びユーザ端末２から受信した測定値を健康管理データベース５１に格納し、問い合わせに応じて、健康管理データベース５１から読み出した測定値の履歴を応答する。【選択図】  図１
2005190149.tif 000002
【特許請求の範囲】
【請求項１】
ネットワークを介して互いに接続可能な複数の通信端末とサーバ装置とからなる健康管理システムであって、
個々の前記通信端末は、夫々、
人間の身体の状態を測定することによって当該状態を示す数値である測定値を出力する生体センサと、
画面を表示するためのディスプレイと、
操作者によって各種指示が入力される入力装置と、
前記通信回線を通じてデータ送受信をする通信装置と、
前記入力装置に入力された指示に応じて、前記生体センサから出力された測定値を前記通信装置から前記サーバ装置へ送信し、また、測定値の履歴の要求を前記通信装置から前記サーバへ送信し、前記要求に応じて前記サーバから前記通信手段が受信した測定値の履歴を前記ディスプレイに表示させる制御装置とを備え、
前記サーバ装置は、
各ユーザ毎に、その個人識別情報に対応付けて測定値の履歴が記録されているデータベースと、
いずれかの通信端末がアクセスしてきた時に、その通信端末を操作しているユーザの個人識別情報を認証する認証手段と、
前記認証手段によって個人識別情報の認証がなされた通信端末から受信した測定値を、当該個人識別情報に対応して前記データベースに記録された測定値の履歴に追記する記録手段と、
前記認証手段によって個人識別情報の認証がなされた通信端末から受信した要求に応じて、当該個人識別情報に対応して前記データベースに記録された測定値の履歴を当該通信端末へ応答する応答手段と
を備えたことを特徴とする健康管理システム。
【請求項２】
人間の身体の状態を測定することによって当該状態を示す数値である測定値を出力する生体センサを備えた通信端末と、ネットワークを介して通信可能なサーバ装置であって、
各ユーザ毎に、その個人識別情報に対応付けて測定値の履歴が記録されているデータベースと、
いずれかの通信端末がアクセスしてきた時に、その通信端末を操作しているユーザの個人識別情報を認証する認証手段と、
前記認証手段によって個人識別情報の認証がなされた通信端末から受信した測定値を、当該個人識別情報に対応して前記データベースに記録された測定値の履歴に追記する記録手段と、
前記認証手段によって個人識別情報の認証がなされた通信端末から受信した要求に応じて、当該個人識別情報に対応して前記データベースに記録された測定値の履歴を当該通信端末へ応答する応答手段と
を備えたことを特徴とする健康管理サーバ装置。
【請求項３】
人間の身体の状態を測定することによって当該状態を示す数値である測定値を出力する生体センサを備えた通信端末と、ネットワークを介して通信可能なコンピュータを、
各ユーザ毎に、その個人識別情報に対応付けて測定値の履歴が記録されているデータベース，
いずれかの通信端末がアクセスしてきた時に、その通信端末を操作しているユーザの個人識別情報を認証する認証手段，
前記認証手段によって個人識別情報の認証がなされた通信端末から受信した測定値を、当該個人識別情報に対応して前記データベースに記録された測定値の履歴に追記する記録手段，及び
前記認証手段によって個人識別情報の認証がなされた通信端末から受信した要求に応じて、当該個人識別情報に対応して前記データベースに記録された測定値の履歴を当該通信端末へ応答する応答手段
を備えた装置として機能させる健康管理サーバプログラム。
【発明の詳細な説明】
【技術分野】
【０００１】
本発明は、生体センサを有した通信端末を用いて、この通信端末の生体センサによって測定されたユーザの身体に関する測定値を管理する健康管理システムに、関する。
【背景技術】
【０００２】
近年、移動電話機技術とインターネット技術の融合により、携帯電話機にインターネット接続機能を持たせ、携帯電話機からインターネット上のＷｅｂページを閲覧できるようにしたサービス近年、一般化している。さらに、インターネット接続機能を持った携帯電話機に、更に、アプリケーションプログラム（例えば、ＪＡＶＡ［米国サンマイクロ社の登録商標］等、ブラウザプログラムと連携して実行されるアプレットプログラム）の実行機能やカメラや指紋センサ等の各種データ入力装置を組み込むことにより、通常のパーソナルコンピュータからなるインターネット端末とほぼ同等のインターネット利用（例えば、画像データのＳＭＴＰ又はＨＴＴＰによるサーバへのアップロード，アプリケーションプログラムのダウンロード及びその実行）を可能とした携帯電話機も、普及している。
【０００３】
また、従来、生体センサ（血圧センサ，体温センサ，体脂肪センサ，等）を備えるとともに、この生体センサによって測定された測定値を時系列的に記憶する測定器が、製造及び販売されている（非特許文献１参照）。
【非特許文献１】“どこでも血圧計”［online］、カシオ計算機株式会社、［平成１５年１２月２５日検索］、インターネット＜URL：http://www.casio.co.jp/ww/bp#1/＞
【発明の開示】
【発明が解決しようとする課題】
【０００４】
しかしながら、このような測定器は測定値を内部メモリに格納しており、この内部メモリに格納している測定値を表示するだけであるので、ユーザは、常時この測定器を携帯していなければならない。
【０００５】
そこで、本発明は、夫々生体センサを有する複数の通信端末を用いることができる為に同一の測定器を常時携帯する必要がない健康管理システムの提供を、課題とする。
【課題を解決するための手段】
【０００６】
上記課題を解決するために案出された本発明による健康管理システムは、ネットワークを介して互いに接続可能な複数の通信端末とサーバ装置とから、構成される。この健康管理システムを構成する各通信端末は、夫々、人間の身体の状態を測定することによって当該状態を示す数値である測定値を出力する生体センサと、画面を表示するためのディスプレイと、操作者によって各種指示が入力される入力装置と、前記通信回線を通じてデータ送受信をする通信装置と、前記入力装置に入力された指示に応じて、前記生体センサから出力された測定値を前記通信装置から前記サーバ装置へ送信し、また、測定値の履歴の要求を前記通信装置から前記サーバへ送信し、前記要求に応じて前記サーバから前記通信手段が受信した測定値の履歴を前記ディスプレイに表示させる制御装置とを、備える。また、本発明による健康管理システムを構成するサーバ装置，本発明による健康サーバ装置及び本発明による健康サーバプログラムによって機能するコンピュータは、各ユーザ毎に、その個人識別情報に対応付けて測定値の履歴が記録されているデータベースと、いずれかの通信端末がアクセスしてきた時に、その通信端末を操作しているユーザの個人識別情報を認証する認証手段と、前記認証手段によって個人識別情報の認証がなされた通信端末から受信した測定値を、当該個人識別情報に対応して前記データベースに記録された測定値の履歴に追記する記録手段と、前記認証手段によって個人識別情報の認証がなされた通信端末から受信した要求に応じて、当該個人識別情報に対応して前記データベースに記録された測定値の履歴を当該通信端末へ応答する応答手段とを、備える。
【０００７】
このように構成されたサーバ装置（健康管理サーバ装置、コンピュータ）の認証手段は、アクセスしてきた通信端末の固体を識別するのではなく、その通信端末を操作しているユーザの個人識別情報を認証（識別）する。そして、個人識別情報が認証された通信端末から測定値が送信されて来ているのであれば、記録手段が、認証された個人識別情報が示すユーザについてデータベースに記録されている測定値の履歴に、受信した測定値を追記する。また、個人識別情報が認証された通信端末から測定値の履歴の要求を受信しているのであれば、応答手段が、認証された個人識別情報が示すユーザについてデータベースに記録されている測定値の履歴を、要求元の通信端末へ応答する。その結果、ユーザは、生体センサを備えるとともに自己の個人識別情報を送信可能なものである限り、各種通信端末を用いてこのサーバ装置（健康管理サーバ装置、コンピュータ）へアクセスして、測定値を送信してデータベースに集約（測定値の履歴に追記）させたり、測定値の履歴を要求することができる。よって、ユーザは、同一の測定器を常時携帯しなければならない煩わしさから開放される。
【発明の効果】
【０００８】
以上のように構成された本発明による健康管理システムによると、夫々生体センサを有する複数の通信端末を用いて測定を用いることができ、何れの通信端末において測定してもその測定結果が一つのサーバ装置に送信されて集約されるので、同一の測定器を常時携帯しなければならないという煩わしさが、解消される。
【発明を実施するための最良の形態】
【０００９】
以下、図面に基づいて、本発明による健康装置システムの実施の形態を、説明する。
【実施形態１】
【００１０】
（システム構成）
図１は、本発明の実施の形態である健康管理システムの概略構成を示すブロック図である。この図１に示されているように、この健康管理システムは、携帯電話網Ｈ及びインターネットＮに亘って構築されたシステムであり、具体的には、携帯電話網（各携帯電話機と無線通信するための多数の地上局，階層構造を持つように互いに有線接続された多数の交換機，等から構築された移動電話網）Ｈ，インターネット（階層構造を持つように構築された多数のルータ及びこれらのルータを接続するインターネットバックボーン，等から構築されたコンピュータネットワーク）Ｎ，携帯電話網ＨとインターネットＮとを接続するゲートウェイ（両者を物理的に接続するとともにデータパケットのプロトコルを両者間で変換する装置，例えば、NTTドコモ株式会社のｉモードセンター）１，携帯電話網Ｈの図示せぬ地上局と無線接続可能な多数台（図１においては１台のみ図示）の携帯電話機３，インターネットＮに接続された多数台（図１においては１台のみ図示）のユーザ端末２，インターネットＮに接続されたサーバ装置４を、含んでいる。
【００１１】
ユーザ端末２は、インターネット接続機能を備えたパーソナルコンピュータ（通信端末に相当）であり、例えば、ユーザの自宅に設置されたものである。ユーザ端末２のハードウェアは、バスＢを介して互いに接続されたＣＰＵ２０，通信アダプタ２１，ディスプレイ２２，入力装置２３，ＲＡＭ２４，ハードディスク２５及び生体センサ２９から、構成されている。ＣＰＵ２０は、ハードディスク２５に格納されている各種プログラムを順次ＲＡＭ２４上に読み出して実行することによってその処理結果をディスプレイ２２上に表示する制御装置である。通信アダプタ２１は、ＣＰＵ２０による制御に従ってＣＰＵ２０から受け取った信号をインターネットＮに繋がる物理回線（電話回線，ＬＡＮ，ブロードバンド，等）に適した信号形態に変換するとともに、インターネットＮから受信した信号をＣＰＵ２０が処理可能な信号形態に変換するモデム，ＬＡＮカード等の通信装置である。入力装置２３は、ＣＰＵ２０が上記プログラムに従った処理を実行する際にユーザが各種命令を入力するためのマウス等のポインティングデバイスやキーボードである。生体センサ２９は、バスＢに対して各種インタフェース（ＵＳＢ，ＳＣＳＩ，等）を通じて接続されたセンサであり、具体的には、血圧センサ，体温センサ，体脂肪センサ，心拍センサ，等のうちの何れか一つ又は複数であって、その種類に応じた測定値を、夫々、ＣＰＵ２０に入力する。
【００１２】
ＣＰＵ２０がハードディスク２５からＲＡＭ２４上に読み出して実行するプログラムには、図示せぬオペレーティングシステム（ＯＳ）の他、Ｗｅｂブラウザ２６，通信プログラム２７，及び健康管理プログラム２８が、含まれている。オペレーションシステムは、ユーザ端末２を構成する各ハードウェアを制御する機能を実現する基本プログラムである。また、Ｗｅｂブラウザ２６は、ＣＰＵ２０によって読み出されて実行されることによって、入力装置２３を介して入力又は指定された情報を格納したＨＴＴＰリクエストメッセージをインターネット経由で各種サーバ（例えば、サーバ装置４）へ送信するとともに、このＨＴＴＰリクエストメッセージに対応してインターネット経由で受信したＨＴＴＰレスポンスメッセージに格納された画面データ（ＨＴＭＬデータ等）に基づいて、ディスプレイ２２上に画面表示を行う。接続プログラム２７は、インターネットＮ上の図示せぬＩＳＰ（Internet Service Provider）のアクセスポイントにダイヤルアップ接続したり、ブロードバンド接続したり、インターネットＮに対する通信機能（即ち、ＴＣＰ／ＩＰに従った通信機能）を実現するプログラムである。さらに、健康管理プログラム２８は、生体センサ２９によって入力された測定値を示す測定データをサーバ装置４へ送信したり、サーバ装置４から過去長期間にわたる測定値を示す測定データ列を受信して、その測定値の推移を示すグラフをディスプレイ２２上に表示したり、サーバ装置４から測定値のチェック結果を示すチェック結果データを受信して、そのチェック結果をディスプレイ２２に表示するためのプログラムである。なお、この健康管理プログラム２８は、Ｗｅｂブラウザ２６及び接続プログラム２７とは独立したアプリケーションプログラムであっても良いが、サーバ装置４からダウンロードされてブラウザ２６上において実行されるアプレットであっても良い。
【００１３】
また、通信端末としての携帯電話機３は、バスＢを介して互いに接続されたＣＰＵ３０，無線装置３１，ディスプレイ３２，キーボード３３，メモリ３４，生体センサ３５及び音声入力装置３６から、構成されている。ＣＰＵ３０は、メモリ３４に格納されているプログラムに従って、携帯電話機３を構成する他のハードウェアを制御することによって、携帯電話の各種機能（音声通話機能，メール作成，送受信及び表示機能，ウェブブラウズ機能，生体センサ制御機能，等）を実現する制御装置である。無線装置３１は、ＣＰＵ３０による制御に応じて携帯電話網Ｈの図示せぬ地上局との間でデータを無線送受信する通信装置（アンテナ及び変復調装置を含む）である。音声入出力装置３６は、主に音声通話のためのマイク及びスピーカーである。キーボード３３は、ＣＰＵ３０に対して各種コマンド及びデータ（例えば、相手先電話番号，メール送信先のメールアドレス，閲覧対象ＷｅｂページのＵＲＬ，等）を入力するためのテンキー，カーソルキー及びファンクションキーを含む入力装置である。生体センサ３５は、ユーザ端末２の生体センサ２９を構成する各種センサのうち何れか一つ又は複数と同じ機能を有するセンサである。ディスプレイ３２は、ＣＰＵ３０が上記各種機能を実現するのに伴って生成した画面を表示するための表示装置である。メモリ３４は、ＣＰＵ３０に上記各種機能を実行させるプログラム及び各種データを格納しているＲＯＭ，サーバ装置４からダウンロードしたアプレットプログラムやユーザ（操作者）が作成したデータや送受信されたメールの内容や生体センサ３５が入力した測定値が記憶されるフラッシュメモリ，ＣＰＵ３０の作業領域が構築されるＲＡＭから、構成される。
【００１４】
メモリ（ＲＯＭ）３４に格納されているプログラムには、ＴＣＰ［ＴＬＰ］／ＩＰ［ＰＤＣ−Ｐ］に従った通信機能を実現する通信プログラム，ＨＴＴＰ［ＡＬＰ］に従ったウェブページ閲覧機能を実現するＷｅｂブラウザ，及び、生体センサ３５を制御して測定値を取り込むためのドライバプログラムが、含まれている。また、メモリ（フラッシュメモリ）３４には、上述したユーザ端末２上の健康管理プログラム２８と同じ機能を有する健康管理プログラム３７が、格納されている。この健康管理プログラム３７も、予めインストールされたアプリケーションプログラムであっても良いし、サーバ装置４からダウンロードされたアプレットであっても良い。
【００１５】
サーバ装置４は、予め登録されたユーザに対して健康管理サービスを提供する業者によって運営されるインターネットサーバマシンである。このサーバ装置４のハードウェアは、互いにバスＢによって接続されたＣＰＵ４０，通信インタフェース４１，ＲＡＭ４４，及びハードディスク４５から、構成されている。これらのうち、ＣＰＵ４０は、サーバ装置４全体の制御を行う中央処理装置である。また、ＲＡＭ４４は、ＣＰＵ４０が各種処理を実行するに際しての作業領域が展開される主記憶装置である。また、通信インタフェース４１は、インターネットＮが構築されている回線（インターネットバックボーン）とのインターフェースをなす通信装置である。
【００１６】
ハードディスク４５は、ＣＰＵ４０によって読み出されて実行される各種プログラム５０及び各種データを格納する外部記憶装置である。このハードディスク４５に格納される各種データには、健康管理データベース５１及び参照用データベース５２が、含まれている。この参照用データベース５２は、生体センサ２９によって測定され得る各種測定値の種類毎に、その標準値を定義したデータベースである。また、健康管理データベース５２は、予め登録された各ユーザ毎に夫々専用に用意された多数のテーブルから構成されている。そして、この健康管理データベース５２を構成する各ユーザ毎のテーブルは、そのユーザのユーザＩＤ（個人識別情報）に対応付けられ、図２に示すように、測定を行った日付毎に用意されたレコードから構成され、各レコードは、何れかの通信端末（ユーザ端末２又は携帯電話機３）の生体センサ２９，３５によって測定される複数種類の測定値を書き込むための複数のフィールドを含んでいる。即ち、健康管理データベース５２には、測定値の種類毎に、測定値の履歴（過去から現在に至る一連の測定値）が記録されている。
【００１７】
一方、ハードディスク４５に格納されてＲＡＭ４４上に読み出されるプログラムには、このサーバ装置４の全体を制御する図示せぬＯＳの他、健康管理サーバプログラム５３及び認証サーバプログラム５４が、含まれている。認証サーバプログラム５４は、このサーバ装置４にアクセスしてきたユーザが予め登録されたユーザであるか否かをチェックするためのプログラムである（認証手段に相当）。また、健康管理サーバプログラム５３は、Ｗｅｂサーバプログラムと幾つかのＣＧＩプログラム又はサーブレットとから構成されたプログラム群であり、ユーザ端末２又は携帯電話機３から送信されたＨＴＴＰリクエストメッセージに応じて、このメッセージとともに送信されてきた測定データが示す測定値を、当該ユーザ端末２又は携帯電話機３を操作するユーザのユーザＩＤに対応した健康管理データベース５１のテーブルに記録したり（記録手段に相当）、最新の測定値と参照用データベース５２に登録されている標準値とを比較してそのチェック結果（測定値が正常であるか異常であるか）を測定値の履歴とともに応答する（応答手段に相当）ための、プログラムである。
（処理内容）
次に、図３及び図４のフローチャート及び図７及び図８の画面例に基づいて、健康管理プログラム２８，３７に従ったユーザ端末２のＣＰＵ２０及び携帯電話機３のＣＰＵ３０の動作，並びに、健康管理サーバ５３に従ったサーバ装置４のＣＰＵ４０の動作を、説明する。
＜測定時における動作＞
上述したように、ユーザ端末２のＣＰＵ２０によって実行される健康管理プログラム２８による処理内容と携帯電話機３のＣＰＵ３０によって実行される健康管理プログラム３７による処理内容とは全く同じであるが、便宜上、以下においては、携帯電話機３のＣＰＵ３０によって実行される健康管理プログラム３７について、説明する。
【００１８】
健康管理プログラム３７を起動して最初のＳ００１では、ＣＰＵ３０は、メニュー画面をディスプレイ３２上に表示する。図５に示すように、このメニュー画面には、選択肢として「１．測定」及び「２．体調チェック」が含まれている。
【００１９】
次のＳ００２では、ＣＰＵ３０は、キーボード３３を介して何れかの選択肢が選択されるのを待つ。そして、ユーザがキーボード３３を操作することによって「１．測定」を選択すると、ＣＰＵ３０は、処理をＳ００３へ進める。
【００２０】
Ｓ００３では、ＣＰＵ３０は、生体センサ３５を起動して、測定を開始させる。例えば、生体センサ３５が体温センサであった場合には、起動された生体センサ３５は、温度変化率を測定して、その温度変化率に基づいて体温を算出し、算出した体温を測定値としてＣＰＵ３０に入力する。また、生体センサ３５が心拍センサであった場合には、起動された生体センサ３５は、それ以降に検出される微弱電流の変動周期を検出して、その変動周期に基づいて心拍数を算出し、算出した心拍数を測定値としてＣＰＵ３０に入力する。
【００２１】
ＣＰＵ３０は、Ｓ００３の次に実行されるＳ００４において、生体センサ３５から測定値が入力されるのを待つ。そして、測定値が入力されると、測定が終了したものとして、処理をＳ００５へ進める。
【００２２】
Ｓ００５では、ＣＰＵ３０は、入力された測定値をメモリ３４に一時記憶する。
【００２３】
次のＳ００６では、ＣＰＵ３０は、通信プログラム及びＷｅｂブラウザを起動して、健康管理サーバ５３に対応した特定ＵＲＬを指定した接続要求メッセージを、サーバ装置４へ送信する。
【００２４】
この接続要求メッセージを受信したサーバ装置４は、健康管理サーバプログラム５３を起動して、図４に示す処理を開始する。なお、以下において、健康管理サーバプログラム５３に従って動作するＣＰＵ４０の機能を「健康管理サーバ５３」と称し、認証サーバプログラム５４に従って動作するＣＰＵ４０の機能を「認証サーバ５４」と称する。
【００２５】
図４に示す処理を開始して最初のＳ００１では、健康管理サーバ５３は、認証サーバ５４に対して認証処理の実行を指示する。この指示を受けた認証サーバ５４は、予め各ユーザについて登録されたユーザＩＤ及びパスワードを送信させるための画面データ（ＨＴＭＬデータ）をリクエスト元の携帯電話機３（又はユーザ端末２）へ送信させ、この画面データに応じて携帯電話機３（又はユーザ端末２）から送信されてきたユーザＩＤ及びパスワードの組合せが予め何れかのユーザのものとして登録されているか否かをチェックし、登録されている場合には、健康管理サーバ５３に対して認証済みの旨を応答するとともに、リクエスト元の携帯電話機３（又はユーザ端末２）に対して接続完了の旨を通知する（認証手段に相当）。
【００２６】
認証サーバ５４から認証済みの旨を応答された健康管理サーバ５３は、次に、Ｓ１０２及びＳ１０４のループ処理を事項する。このループ処理に入って最初のＳ１０２では、健康管理サーバ５３は、リクエスト元の携帯電話機３（又はユーザ端末２）から測定データを受信したか否かをチェックする。そして、測定データを受信していない場合に実行されるＳ１０４では、健康管理サーバ５３は、リクエスト元の携帯電話機３（又はユーザ端末２）から測定データ列及びチェック結果データの要求があったか否かをチェックする。そして、測定データ列及びチェック結果データの要求がない場合には、処理をＳ１０２に戻す。
【００２７】
一方、携帯電話機３のＣＰＵ３０は、Ｓ００６の次のＳ００７において、認証サーバ５４から接続完了の旨を受信するのを待つ。そして、認証サーバ５４から接続完了の旨を受信すると、処理をＳ００８へ進める。
【００２８】
Ｓ００８では、ＣＰＵ３０は、Ｓ００５にてメモリ３４に一時記憶した測定値を示す測定データを、健康管理サーバ５３へ送信する。続くＳ０１１では、ＣＰＵ３０は、健康管理サーバ５３に対して、測定データ列（測定値の履歴）及びチェック結果データの要求を送信する。Ｓ０１１を完了すると、ＣＰＵ３０は、次のＳ０１２において、健康管理サーバ５３から測定データ列（測定値の履歴）及びチェック結果データを受信するのを待つ。
【００２９】
一方、健康管理サーバ５３は、上述したＳ１０２及びＳ１０３のループ処理を繰り返している間にリクエスト元の携帯電話機３（又はユーザ端末２）から測定データを受信すると（Ｓ００８参照）、処理をＳ１０２からＳ１０３へ進める。Ｓ１０３では、健康管理サーバ５３は、受信した測定データが示す測定値及び処理当日の年月日を記述したレコードを、Ｓ１０１にて認証したユーザＩＤに対応した健康管理データベース５１中のテーブルに追加する（記録手段に相当）。Ｓ１０３を完了すると、健康管理サーバ５３は、処理をＳ１０３からＳ１０４へ進める。
【００３０】
続いて、上述したＳ１０２及びＳ１０３のループ処理を繰り返している間にリクエスト元の携帯電話機３（又はユーザ端末２）から測定データ列（測定値の履歴）及びチェック結果データの要求を受信すると（Ｓ０１１参照）、健康管理サーバ５３は、処理をＳ１０４からＳ１０５へ進める。
【００３１】
Ｓ１０５では、健康管理サーバ５３は、Ｓ１０１にて認証したユーザＩＤに対応した健康管理データベース５１中のテーブルから、最新の測定値を読み出すとともに、読み出した最新の測定値と同種類の測定値の標準値を参照用データベース５２から読み出す。そして、これら最新の測定値と標準値とを比較して、後者に対する前者の差分を算出する。そして、算出した差分に対応したチェック結果（コメント）を得る。例えば、予め用意された図示せぬテーブルから、相対差分に応じたチェック結果（コメント）を読み出す。
【００３２】
次のＳ１０６では、健康管理サーバ５３は、Ｓ１０１にて認証したユーザＩＤに対応した健康管理データベース５１中のテーブルから、Ｓ１０５にて読み出した最新の測定値と同じ種類の測定値を時系列に読み出す。そして、時系列的に読み出した測定値を示す測定データ列（測定値の履歴）及びＳ１０５にて得たチェック結果（コメント）を示すチェック結果データを、リクエスト元の携帯電話機３（又はユーザ端末２）へ応答する。Ｓ１０６を完了すると、健康管理サーバ５３は、処理を終了する。
【００３３】
一方、携帯電話機３のＣＰＵ３０は、健康管理サーバ５３から測定データ列（測定値の履歴）及びチェック結果データを受信すると、処理をＳ０１２からＳ０１３へ進める。このＳ０１３では、ＣＰＵ３０は、Ｓ０１２にて受信した測定データ列が示す測定値の推移（履歴）を表すグラフを、ディスプレイ３２上に表示する。
【００３４】
次のＳ０１４では、携帯電話機３のＣＰＵ３０は、Ｓ０１２にて受信したチェック結果データが示すチェック結果（コメント）を、ディスプレイ３２上に追加表示する。図６は、Ｓ０１３にてグラフが表示されるとともにＳ０１４にてチェック結果（コメント）が表示されたディスプレイ３２上の画面例を示す。Ｓ０１４を完了すると、ＣＰＵ３０は、健康管理プログラム３７による処理を終了する。
＜体調チェック時における動作＞
次に、ユーザが生体センサ３５による測定を行うことなく測定値の推移及び最新の測定値に基づくチェック結果を閲覧するための処理を説明する。
【００３５】
この場合も、ＣＰＵ３０は、健康管理プログラム３７を起動して最初のＳ００１ではメニュー画面をディスプレイ３２上に表示し、次のＳ００２では、キーボード３３を介して何れかの選択肢が選択されるのを待つ。そして、ユーザがキーボード３３を操作することによって「２．体調チェック」を選択すると、ＣＰＵ３０は、処理をＳ００９へ進める。
【００３６】
Ｓ００９では、ＣＰＵ３０は、通信プログラム及びＷｅｂブラウザを起動して、健康管理サーバ５３に対応した特定ＵＲＬを指定した接続要求メッセージを、サーバ装置４へ送信する。
【００３７】
この接続要求メッセージを受信したサーバ装置４の健康管理サーバ５３は、上述したように、図４の処理を開始して、最初のＳ１０１にて認証サーバ５４に対して認証処理の実行を指示した後に、Ｓ１０２及びＳ１０４のループ処理を実行する。
【００３８】
一方、携帯電話機３のＣＰＵ３０は、Ｓ００９の次のＳ０１０において、認証サーバ５４から接続完了の旨を受信するのを待つ。そして、認証サーバ５４から接続完了の旨を受信すると、処理をＳ０１１へ進める。
【００３９】
Ｓ０１１では、ＣＰＵ３０は、健康管理サーバ５３に対して、測定データ列（測定値の履歴）及びチェック結果データの要求を送信する。Ｓ０１１を完了すると、ＣＰＵ３０は、次のＳ０１２において、健康管理サーバ５３から測定データ列及びチェック結果データを受信するのを待つ。
【００４０】
一方、健康管理サーバ５３は、上述したＳ１０２及びＳ１０３のループ処理を繰り返している間にリクエスト元の携帯電話機３（又はユーザ端末２）から測定データ列（測定値の履歴）及びチェック結果データの要求を受信すると（Ｓ０１１参照）、健康管理サーバ５３は、処理をＳ１０４からＳ１０５へ進める。
【００４１】
以後における携帯電話のＣＰＵ３０の動作（Ｓ０１２〜０１４）及び健康管理サーバ５３の動作（Ｓ１０５〜Ｓ１０６）は、上述した測定時のものと同じであるので、その説明を省略する。
（動作）
以上のように構成された本実施形態の健康管理システムは、以下のようにして、ユーザによって使用される。
【００４２】
ユーザは、サーバ装置４を運営する業者と契約を交わすことによって健康管理システムによるサービスの受益者として登録された後で、毎日、在宅しているのであれば自宅のコンピュータ（ユーザ端末２）の生体センサ２９を用いて、外出しているのであれば携帯電話機３の生体センサ３５を用いて、測定を行う。その際には、ユーザは、ユーザ端末２又は携帯電話機３のＣＰＵ２０，３０に対して所定のコマンドを入力することによって健康管理プログラム２８を起動し、ディスプレイ２２，３２上に表示されたメニュー画面から「１．測定」を選択し（Ｓ００１，Ｓ００２）、生体センサ２９，３５を身体の適切な箇所に接触させることによって測定を完了させる（Ｓ００３〜Ｓ００５）。
【００４３】
ＣＰＵ２０，３０は、その後インターネットＮに自動接続して、測定によって得られた測定値をサーバ装置４の健康管理サーバ５３へ自動送信する（Ｓ００７，Ｓ００８）。
【００４４】
健康管理サーバ５３は、受信した測定値を健康管理データベース５１に蓄積するとともに（Ｓ１０３）、受信した測定値を参照用データベース５２から読み出した同種類測定値の標準値と比較して両者の差に応じたチェック結果を生成し（Ｓ１０５）、受信した測定値と同種類であって当該ユーザについて健康管理データベース５１に蓄積された全測定値と共にチェック結果を応答する（Ｓ１０６）。
【００４５】
その結果、ユーザが操作したユーザ端末２又は携帯電話機３のディスプレイ２２，３２上には、今回の測定値に対するチェック結果及びこれまでの測定値の推移を示すグラフが、表示される（Ｓ０１３，Ｓ０１４）。
【００４６】
一方、ユーザは、任意の時点で、測定を行うことなく、最新の測定値に対するチェック結果及び測定値の推移を示すグラフをユーザ端末２又は携帯電話機３のディスプレイ２２，３２上に表示させることができる。その際には、ユーザは、ユーザ端末２又は携帯電話機３のＣＰＵ２０，３０に対して所定のコマンドを入力することによって健康管理プログラム２８を起動し、ディスプレイ２２，３２上に表示されたメニュー画面から「２．体調チェック」を選択する（Ｓ００１，Ｓ００２）。すると、ユーザ端末２又は携帯電話機３のＣＰＵ２０，３０は、インターネットＮに自動接続して、測定データ列及びチェック結果データを要求する（Ｓ００９〜Ｓ０１１）。
【００４７】
健康管理サーバ５３は、各種類の測定値につき、最新の測定値を健康管理データベース５１から読み出し、参照用データベース５２から読み出した同種類測定値の標準値と比較して両者の差に応じたチェック結果を生成し（Ｓ１０５）、当該ユーザについて健康管理データベース５１に蓄積された各種類の全測定値と共に、チェック結果を応答する（Ｓ１０６）。
【００４８】
その結果、ユーザが操作したユーザ端末２又は携帯電話機３のディスプレイ２２，３２上には、各種類の測定値について、チェック結果及び測定値の推移を示すグラフが表示される（Ｓ０１３，Ｓ０１４）。
【００４９】
以上に説明したように、本発明によれば、ユーザは、生体センサ２９，３５を有する各種通信端末２，３からサーバ装置４にアクセスして、測定値を送信することができる。その結果、サーバ装置４の健康管理データベース５１に、当該ユーザについて長期間に亘って測定された測定値の履歴が集約されて、蓄積されることになる。よって、ユーザは、各種通信端末２，３からサーバ装置４にアクセスして、自己の測定値の履歴をその通信端末２，３のディスプレイ２２，２３に表示させることができる。従って、ユーザは、随時に測定を行ったり測定値の履歴を確認したいという希望又は必要がある場合であっても、生体センサを内蔵した同一の測定器を常時携帯する必要はなく、生体センサを内蔵した通信端末２，３である限り、都合に合わせて各通信端末２，３を使い分けることができる。例えば、在宅時においてはユーザ端末２を用い、外出時には携帯電話機３を用いるといった具合である。これにより、測定に伴うユーザの負担が軽減される。
【図面の簡単な説明】
【００５０】
【図１】本発明による実施の形態である健康管理システムの概略構成を示すブロック図
【図２】健康管理データベースのデータ構造を示す表
【図３】健康管理プログラムによる処理内容を示すフローチャート
【図４】健康管理サーバプログラムによる処理内容を示すフローチャート
【図５】メニュー画面を示す図
【図６】チェック結果及びグラフが表示された画面例を示す図
【符号の説明】
【００５１】
２      ユーザ端末
３      携帯電話機
４      サーバ装置
２０      ＣＰＵ
２１      通信アダプタ
２２      ディスプレイ
２３      入力装置
２５      ハードディスク
２９      生体センサ
３０      ＣＰＵ
３１      無線装置
３２      ディスプレイ
３３      キーボード
３５      生体センサ
４０      ＣＰＵ
４１      通信インタフェース
４４      ＲＡＭ
４５      ハードディスク
５１      健康管理データベース
５３      健康管理サーバ
【図１】
2005190149.tif 000003
【図２】
2005190149.tif 000004
【図３】
2005190149.tif 000005
【図４】
2005190149.tif 000006
【図５】
2005190149.tif 000007
【図６】
2005190149.tif 000008